(57)【特許請求の範囲】
【請求項１】
基端部が取付軸により幅木本体に水平方向に回転可能に設けられる水平材と、
貫通孔が形成され、その貫通孔に前記水平材が嵌挿されることにより前記水平材にスライド可能に取り付けられる垂直材と、
前記垂直材に螺通させて取り付けられる締付用螺軸とを備え、
足場板に設置される幅木を掴持するにあたって、前記垂直材を前記水平材に沿ってスライドさせて、前記締付用螺軸の先端部を前記幅木に当接させ、その状態で前記締付用螺軸を回して絞め込むようにした幅木掴持具。
【請求項２】
前記垂直材の下部側は、前記幅木に近づくように上部側に対し傾斜している請求項１に記載の幅木掴持具。
【請求項３】
前記締付用螺軸の先端部には、皿形の当て金が回転可能に取り付けられている請求項１又は２に記載の幅木掴持具。
【発明の詳細な説明】
【技術分野】
【０００１】
本発明は、足場板に設置される幅木を掴持する幅木掴持具に関する。
【背景技術】
【０００２】
仮設足場での作業においては、作業者の手にしたボルト・ナット、金具等の種々の作業用部品や工具類、足元に置いた各種資材や用具類等を誤って落下させ、事故につながるという危険性が常に付きまとう。そこで、足場板の桁側端部には桁側幅木を取り付け、また足場板の妻側端部には妻側幅木を取り付けるようになっている。
【０００３】
しかしながら、従来の方法では、上記幅木を強固に掴持することができなかった。
【発明の概要】
【発明が解決しようとする課題】
【０００４】
そこで本発明は、上記の事情に鑑み、足場板に設置される幅木を強固に掴持することができる幅木掴持具を提供することを目的としている。
【課題を解決するための手段】
【０００５】
上記課題を解決するための手段を、後述する実施形態の参照符号を付して説明すると、請求項１に係る幅木掴持具の発明は、基端部が取付軸１４により幅木本体３に水平方向に回転可能に設けられる水平材４１と、貫通孔４３が形成され、その貫通孔４３に前記水平材４１が嵌挿されることにより前記水平材４１にスライド可能に取付けられる垂直材４２と、前記垂直材４２に螺通させて取り付けられる締付用螺軸１１とを備え、
足場板Ｐａ，Ｐｂに設置される幅木（桁側幅木２）を掴持するにあたって、前記垂直材４２を前記水平材４１に沿ってスライドさせて、前記締付用螺軸１１の先端部を前記幅木（桁側幅木２）に当接させ、その状態で前記締付用螺軸１１を回して絞め込むようにしたことを特徴とする。
【０００６】
請求項２は、請求項１に記載の幅木掴持具において、前記垂直材４２の下部側は、前記幅木（桁側幅木２）に近づくように上部側に対し傾斜していることを特徴とする。
【０００８】
請求項３は、請求項１又は２に記載の幅木掴持具において、前記締付用螺軸１１の先端部には、皿形の当て金３５が回転可能に取り付けられていることを特徴とする。
【発明の効果】
【００１０】
上記解決手段による発明の効果を、後述する実施形態の参照符号を付して説明すると、請求項１に係る発明の幅木掴持具によれば、幅木（桁側幅木２）を掴持するにあたって、基端部が取付軸１４により幅木本体３に水平方向に回転可能に設けられる水平材４１に沿って垂直材４２をスライドさせて、締付用螺軸１１の先端部を幅木（桁側幅木２）に当接させた状態で、締付用螺軸１１を締め込んでゆくと、垂直材４２が水平材４１に対しロックされる。これにより幅木（桁側幅木２）を強固に掴持することができる。
【００１１】
さらに、本発明によれば、垂直材４２は、当該垂直材４２の貫通孔４３に前記水平材４１が嵌挿されることにより前記水平材４１にスライド可能に取り付けられているから、上記のように締付用螺軸１１を締め込んでゆくと、垂直材４２の貫通孔４３が水平材４１に対し夫々噛み込み力Ｆを発生する。これにより、締付用螺軸１１を軽く締め込むだけで、垂直材４２が水平材４１に対しロックされて、幅木（桁側幅木２）を確実強固に掴持することができる。
【００１２】
一方、請求項２に係る発明によれば、垂直材４２の下部側が幅木（桁側幅木２）に近づくように上部側に対し傾斜しているから、垂直材４２の全体が真っ直ぐに形成されている場合に比べて、締付用螺軸１１の締め付けによって垂直材４２の水平材４１への前記噛み込みを良好にすると共に、締付用螺軸１１が螺合する垂直材４２の下部４２ｂ側が垂直方向に対して若干量変位するため締付用螺軸１１の締め付け操作が容易になる利点がある。
【００１３】
また、請求項３に係る発明によれば、締付用螺軸１１をねじ込み方向に回転させて、その先端部を幅木（桁側幅木２）に押し付ける時に、締付用螺軸１１が回転しても、皿形の当て金３５が側壁部に押し付けられたままで回転しないため、幅木（桁側幅木２）が不都合に変形したり傷を付けられることがない上に、皿形当て金３５の摩擦力によって締付用螺軸１１を安定良く固定させることができる。
【図面の簡単な説明】
【００１５】
【図１】本発明に係る幅木掴持具を出隅用幅木に用いた場合の実施形態を示す平面図である。
【図２】（ａ）は出隅用幅木をその外面側から見た正面図、（ｂ）は平面図である。
【図３】（ａ）は図１の矢印Ａから見た出隅用幅木取付部分の斜視図、（ｂ）は同図の矢印Ｂから見た出隅用幅木取付部分の斜視図である。
【図４】（ａ）は図３の（ａ）に示される出隅用幅木取付部分の正面図、（ｂ）はその平面図である。
【図５】（ａ）は本発明に係る幅木掴持具を示す斜視図、（ｂ）は同幅木掴持具の正面図である。
【図６】（ａ）は図３の（ｂ）に示される出隅用幅木取付部分を足場の外側から見た正面図、（ｂ）はその平面図である。
【図７】（ａ）は桁側幅木の一部を示す正面図、（ｂ）はその平面図である。
【図８】（ａ）はブラケットに取り付けた状態の回転防止ピンを示す斜視図、（ｂ）はその平面図、（ｃ）は正面図である。
【図９】同幅木掴持具の使用状態を説明する説明図である。
【図１０】同幅木掴持具の作用を説明する説明図である。
【発明を実施するための形態】
【００１６】
以下に本発明に係る幅木掴持具の好適な一実施形態を図面に基づいて説明すると、図１〜図６において、１は出隅用幅木を示す。この出隅用幅木１は、図１から分かるように、一方の足場板Ｐａの桁側端部にこれと直交する他方の足場板Ｐｂの妻側端部が接続された仮設足場のコーナー部において、その出隅部となる一方の足場板Ｐａの妻側端部に設置するための幅木である。また図１において、２は足場板Ｐａ，Ｐｂの桁側端部上に設置された従来の桁側幅木を示す。尚、図３の（ａ）は図１の矢印Ａから見た出隅用幅木取付部分の斜視図であり、（ｂ）は同図の矢印Ｂから見た出隅用幅木取付部分の斜視図である。
【００１７】
出隅用幅木１は、図１〜図６に示すように、一方の足場板Ｐａの妻側端部上に起立姿勢に載置される幅木本体３を有し、この幅木本体３の一端部には、端部枠７を、幅木本体３の高さ方向中央部に位置する水平支軸８の周りに回転可能に設けると共に、この端部枠７を定位置に固定する固定手段９を設け、またこの端部枠７には、前記一方の足場板Ｐａの桁側端部上に載置固定される桁側幅木２の端部を掴持する幅木掴持具４を水平方向に回転可能に設け、幅木本体３の他端部には、前記他方の足場板Ｐｂの桁側端部上に載置固定される桁側幅木２の端部に嵌合して連結するコ字枠状の連結金具５と、コイルバネ３３の付勢力によってピン先端部６ｏが桁側幅木２の側壁部１７ａに設けたピン孔３２に突入するようにした固定ピン６とを設けてなるものである。
【００１８】
この出隅用幅木１の構造について更に詳しく説明すれば、幅木本体３は、図２〜図６に示すように、金属板材によって、側壁部３ａと、上壁部３ｂと、下壁部３ｃと、上下壁部３ｂ，３ｃから夫々内向きに突出するフランジ３ｄとからなる断面略コ字状に形成されたもので、この幅木本体３の一端部には、図４から分かるように、断面内向きコ字状の補強枠２１がリベットＲで取り付けられ、このコ字状補強枠２１の外端面に、同様な断面コ字状の端部枠７が背中合わせに配置されて、幅木本体３の高さ方向中央位置で両枠７，２１の背面壁部７ａ，２１ａどうしを貫通する水平支軸８により、この端部枠７が幅木本体３に対し回転可能に取り付けられている。水平支軸８はボルト・ナットからなる。
【００１９】
幅木掴持具４は、図５に示すように、基端部が取付軸１４により幅木本体３の端部上面に水平方向回転可能に取り付けられる断面矩形状の水平材４１と、上端部に設けた前記水平材４１の断面形状に対応する形状の角孔（貫通孔）４３に水平材４１を嵌挿させることによって水平材４１にスライド可能に取り付けられる垂直材４２と、この垂直材４２の下端部に設けたネジ孔４４に螺通された締付用螺軸１１とからなる。この幅木掴持具４は、図３の（ａ）及び図４に示すように、水平材４１及び垂直材４２を前記桁側幅木２の上端部に乗せ掛け、水平材４１に沿って垂直材４２を適宜にスライドさせて締付用螺軸１１の先端部を桁側幅木２の側壁部１７ａに当接させた状態で、締付用螺軸１１を回して絞め込むことにより、垂直材４２の角孔（貫通孔）４３が水平材４１に対し噛み込み力を発生させて垂直材４２をロックし、それによって桁側幅木２の端部を掴持するようになっている。図５の（ｂ）は、垂直材４２が水平材４１に対しロック解除されている状態を示す。
【００２０】
水平材４１の先端部には、この水平材４１に嵌挿された垂直材４２が水平材４１から抜け出るのを防ぐための抜け止め部４５が設けられている。この抜け止め部４５はリベットやプレス加工による切起こし等の突起物からなる。
【００２１】
また、垂直材４２の下部４２ｂ側は、桁側幅木２に近づくように、上部４２ａ側に対しα°、例えば１１°傾斜している。また、締付用螺軸１１の先端部には、桁側幅木２の幅木本体１７の側壁部外面に当接する皿形の当て金３５が回転可能に取り付けられている。これにより、締付用螺軸１１をねじ込み方向に回転させて、その先端部を桁側幅木２の幅木本体１７の側壁部外面に押し付ける時に、締付用螺軸１１が回転しても、皿形の当て金３５は幅木本体１７の側壁部外面に押し付けられたままで回転しないため、幅木本体１７が不都合に変形したり傷を付けられることがない上に、締付用螺軸１１の先端部を皿形当て金３５によって安定良く固定させることができる。
【００２２】
尚、端部枠７はコ字状の枠材からなるものであるが、この端部枠７の上端部には図４の（ａ），（ｂ）に示すように上端壁７ｏが一体に延設されていて、この上端壁７ｏに、上記水平材４１の基端部が、ボルト・ナットからなる取付軸１４によって水平方向に回転可能に取り付けられている。
【００２３】
ところで、足場板Ｐａ，Ｐｂの桁側端部上に設置される桁側幅木２は、図７の（ａ）及び（ｂ）に示すように、出隅用幅木１の幅木本体３と同じ様な断面略コ字状の幅木本体１７を有し、この幅木本体１７は、金属板材により、側壁部１７ａと、上壁部１７ｂと、下壁部１７ｃと、上下壁部１７ｂ，１７ｃから夫々内向きに突出するフランジ１７ｄとからなる断面略コ字状に形成されたもので、この幅木本体１７の前後両端部には夫々、平面視略コ字形の補強枠１８が取り付けられている。そして、この桁側幅木２は、桁側幅木固定ロッド１９を、幅木本体１７の上下両端面を貫通するように設けられた貫通孔２０に貫通して、足場板Ｐａ，Ｐｂの上面の桁側端部所定位置に設けられたロッド挿入孔２２に挿入することにより、足場板Ｐａ，Ｐｂの桁側端部上に起立姿勢に固定されるようになっている。
【００２４】
幅木本体３の端部枠７を定位置に固定する固定手段９は、図４及び図８に示すように、コイルバネ２５の付勢力によりピン先端部１６ｏを幅木本体側から端部枠７の所要位置に設けたピン孔２４に突入させるようにした回転防止ピン１６からなる。即ち、回転防止ピン１６は、図４の（ａ）に示すように、直線状に延びるピン本体１６ａと、このピン本体１６ａの基端部から直角に突出する把手部１６ｂとによって略Ｌ字状に形成されたもので、ピン本体１６ａを、幅木本体３の側壁部３ａの外面側にリベットＲで取り付けたブラケット２３によって幅木本体３の長さ方向スライド自在に支持すると共に、ピン本体１６ａとブラケット２３との間に介装したコイルバネ２５によって、ピン本体１６ａの先端部１６ｏが、幅木本体３の端部枠７及び補強枠２１の背面壁部７ａ，２１ａに貫設されたピン孔２４から常時突出するようにピン本体１６ａを付勢している。
【００２５】
回転防止ピン１６を幅木本体３に取り付けるには、図４の（ａ）に示すように、ピン本体１６ａをスライド自在に支持してピン本体１６ａとの間にコイルバネ２５を介装したブラケット２３を、幅木本体３の側壁部３ａの外面側所要部に夫々リベットＲによって取り付け固定し、ピン本体１６ａの先端部１６ｏを、コイルバネ２５の付勢力によって、幅木本体３の端部枠７及び補強枠２１のピン孔２４から突出させるようにすればよい。
【００２６】
上記ブラケット２３は、図８の（ａ）〜（ｃ）に示すように、鋼板を折曲して凹部２６と凸部２７とを形成すると共に、凹部２６側の端部に立上部片２８を形成したもので、凸部２７の両端壁２７ａ，２７ｂに設けた貫通孔２９，２９に、回転防止ピン１６のピン本体１６ａを、スライド自在で且つその軸線回りに回転自在に挿通すると共に、ピン本体１６ａに嵌挿したコイルバネ２５の一端部を一方の端壁２７ａに当接し、その他端部をピン本体１６ａに貫通させた固定ピン３０に係止することによって、常時はピン本体１６ａの先端部１６ｏが外方へ突出するようにピン本体１６ａを付勢してロック状態とし、コイルバネ２５の付勢力に抗して把手部１６ｂを引っ張ることによりロック状態を解除でき、また把手部１６ｂを立上部片２８の係止溝２８ａに係止させることにより、ピン本体１６ａをロック解除状態に保持することができる。
【００２７】
図２及び図６に示すように、幅木本体３の他端部にはコ字枠状のブラケット３１がリベットＲで取り付けてあって、このブラケット３１にコ字枠状の連結金具５が背中合わせにリベットＲで固定されている。そして、バネ付勢力によりピン先端部６ｏが桁側幅木２の側壁部１７ａに設けたピン孔３２に突入するようにした固定ピン６は、ピン本体６ａと、ピン本体６ａの一端部から直角に折曲延設された基軸部６ｂと、ピン本体６ａの他端から基軸部６ｂと同方向に折曲延設されたピン先端部６ｏとからなるもので、基軸部６ｂが、コ字枠状ブラケット３１の高さ方向中央位置でこのコ字枠状ブラケット３１の内外側板部３１ａ，３１ｂに貫通支持されていて、この基軸部６ｂとブラケット３１との間に介装されたコイルバネ３３により、固定ピン６は、ピン先端部６ｏが桁側幅木２の側壁部１７ａに設けたピン孔３２に突入するように付勢されている。
【００２８】
この固定ピン６を使用する時は、ピン本体６ａをコイルバネ３３の付勢力に抗して引っ張り、ピン先端部６ｏを桁側幅木２の端部にあるピン孔３２に突入させればよく、また固定ピン６を使用しない時は、基軸部６ｂを中心としてピン本体６ａを幅木本体３側に反転させ、ピン先端部６ｏを幅木本体３の側壁部３ａに設けたピン孔３４（図２の（ａ），（ｂ）参照）に突入することにより、幅木本体３側に折り畳んで収納する。
【００２９】
ここで、本発明の特徴部分である幅木掴持具４を図９及び図１０を用いてより詳しく説明すると、図９の（ａ）〜（ｃ）は、上記構成の幅木掴持具４の使用状態を示すもので、先ず（ａ）に示すように、幅木掴持具４の水平材４１及び垂直材４２を桁側幅木２の幅木本体１７の上端部に載せ掛ける。そうして、（ｂ）に示すように垂直材４２を水平材４１に沿って桁側幅木２に近づく方向に適宜にスライドさせて、締付用螺軸１１の先端部の当て金３５を幅木本体１７の側壁部外面に当接させる。この状態から（ｃ）に示すように蝶形把手１５を回転操作して締付用螺軸１１を締め込んでゆくと、図１０に示すように、垂直材４２の角孔（貫通孔）４３がその両端側で水平材４１に対し噛み込み力Ｆを発生して、垂直材４２が水平材４１に対しロックされる。これによって、幅木掴持具４が桁側幅木２を出隅用幅木１側に引き付けた状態に掴持する。
【００３０】
この場合、図１０から分かるように、垂直材４２上端部に設けてある角孔（貫通孔）４３とこれに嵌挿される水平材４１との間には僅かな隙間があるため、締付用螺軸１１を締め込んでゆくと、垂直材４２は、上端部の角孔４３を中心として桁側幅木２の幅木本体１７から離れるように傾動し、従って角孔４３の上壁面４３ａと水平材４１の上側面との隙間では、上壁面４３ａの前端縁（取付軸１４に近い方の端縁）が水平材４１の上側面に噛み込んで、後端縁が水平材４１の上側面から持ち上がる（持ち上がり角度βは例えば３．７°）と同時に、角孔４３の下壁面４３ｂと水平材４１の下側面との隙間では、下壁面４３ｂの後端縁（取付軸１４から遠い方の端縁）が水平材４１の上側面に噛み込んで、前端縁が水平材４１の上側面から角孔４３の上壁面４３ａの後端縁と同じ角度βだけ持ち上がり、しかして角孔４３の上壁面４３ａの前端縁と下壁面４３ｂの後端縁とが水平材４１の上下側面に対し夫々噛み込み力Ｆを発生するから、締付用螺軸１１を軽く締め込むだけで、垂直材４２が水平材４１に対しロックされ、幅木掴持具４が桁側幅木２を確実強固に掴持することができる。尚、この実施形態では、貫通孔４３として角孔を採用しているが、角孔に限るものではなく、水平材４１として、断面円形状のものを使用し、垂直材４２の貫通孔４３を丸孔とすることもできる。但し、この実施形態のように、水平材４１として断面矩形状のものを使用して、貫通孔４３を角孔とした場合は、水平材４１に対する垂直材４２の貫通孔の噛み込み力Ｆを有効に発生させることができる。
【００３１】
また、この場合、垂直材４２の下部４２ｂ側が桁側幅木２に近づくように上部４２ａ側に対し所要角度αだけ傾斜していることから、垂直材４２の全体が真っ直ぐに形成されている場合に比べ、締付用螺軸１１の締め付けによって垂直材４２の水平材４１への前記噛み込みを良好にすると共に、締付用螺軸１１が螺合する垂直材４２の下部４２ｂ側が垂直方向に対して若干量変位するため締付用螺軸１１の締め付け操作が容易になる利点がある。
【符号の説明】
【００３２】
Ｐａ，Ｐｂ    足場板
１            出隅用幅木
２            桁側幅木（幅木）
３            出隅用幅木の幅木本体
４            幅木掴持具
８            水平支軸
９            固定手段
１１          締付用螺軸
１４          取付軸
１６          回転防止ピン
２４          ピン孔
２５          コイルバネ
３５          皿形の当て金
４１          水平材
４２          垂直材
４３          角孔（貫通孔）
４４          ネジ孔
４５          抜け止め部
【図１】
0005513575.tif 000002
【図２】
0005513575.tif 000003
【図３】
0005513575.tif 000004
【図４】
0005513575.tif 000005
【図５】
0005513575.tif 000006
【図６】
0005513575.tif 000007
【図７】
0005513575.tif 000008
【図８】
0005513575.tif 000009
【図９】
0005513575.tif 000010
【図１０】
0005513575.tif 000011